(57)【特許請求の範囲】
【請求項１】
スプリンクラー装置を、天井パネルの下側からの作業によって天井パネルに対して固定することを可能にする固定装置であって、
天井パネルを上方から保持する天井パネル保持部に固定される一対のレールを有し、この一対のレールは、スプリンクラー装置からの散水及びその取付けのために天井パネルに形成される開口の上を横切るように前記開口の一方の側から他方の側に延び、
更に、前記一対のレールの間を橋渡しするように前記一対のレールに固定される固定部材を有し、この固定部材の少なくとも一部分は、前記開口の上方に位置し、
スプリンクラー装置は、前記固定部材の下側に配置されるスプリンクラーヘッドと、前記スプリンクラーヘッドに向かって前記固定部材の上側から下側に延び且つ前記固定部材に固定されるスプリンクラー配管とを有し、
前記スプリンクラー配管は、前記固定部材よりも上側に位置する配管作業箇所を有し、前記配管作業箇所への天井パネルの下側からのアクセスを容易にするために、前記固定部材は、それが前記一対のレールに仮固定されている状態において、前記一対のレールに沿って摺動可能であることを特徴とする、固定装置。
【請求項２】
前記一対のレール、前記固定部材及び前記スプリンクラー配管は、前記開口を通して天井パネルの下側から上側に導入することが可能であることを特徴とする、請求項１に記載の固定装置。
【請求項３】
前記スプリンクラー配管は、前記固定部材の上側に固定される配管接続部を有し、前記配管接続部は、前記一方の側に向けられた接続ポートと、前記他方の側に向けられた接続ポートとを有し、これらの接続ポートは、前記配管作業箇所を構成し、
前記固定部材は、前記一対のレールに仮固定されている状態において、前記一対のレールに沿って、前記一方の側及び前記他方の側に摺動可能であることを特徴とする、請求項１又は２に記載の固定装置。
【請求項４】
前記天井パネル保持部材は、野縁であることを特徴とする、請求項１〜３のいずれか１項に記載の固定装置。
【請求項５】
更に、前記開口を下方から覆うカバーと、
前記カバーを前記天井パネルに向かって押付けるために、前記カバーと前記固定部材との間に配置された引張りばねと、を有することを特徴とする請求項１〜４のいずれか１項に記載の固定装置。
【請求項６】
前記スプリンクラー配管は、前記天井パネルに沿って延びる樹脂製のホースを有することを特徴とする、請求項１〜５のいずれか１項に記載の固定装置。
【請求項７】
スプリンクラー装置を、天井パネルの下側からの作業によって天井パネルに対して固定することが可能な固定構造であって、
天井パネルと、
天井パネルを上方から保持する天井パネル保持部と、
スプリンクラー装置からの散水のために天井パネルに形成される開口と、
前記天井パネル保持部に固定され且つ前記開口の上を横切るように前記開口の一方の側から他方の側に延びる一対のレールと、
前記一対のレールの間を橋渡しするように前記一対のレールに固定される固定部材と、を有し、この固定部材の少なくとも一部分は、前記開口の上方に位置し、
更に、スプリンクラー装置を有し、前記スプリンクラー装置は、前記固定部材の下側に配置されるスプリンクラーヘッドと、前記スプリンクラーヘッドに向かって前記固定部材の上側から下側に延び且つ前記固定部材に固定されるスプリンクラー配管とを有し、
前記一対のレール、前記固定部材及び前記スプリンクラー配管は、前記開口を通して天井パネルの下側から上側に導入することが可能であり、
前記スプリンクラー配管は、前記固定部材よりも上側に位置する配管作業箇所を有し、前記配管作業箇所への天井パネルの下側からのアクセスを容易にするために、前記固定部材は、それが前記一対のレールに仮固定されている状態において、前記一対のレールに沿って摺動可能であることを特徴とする、固定構造。
【請求項８】
スプリンクラー装置を、天井パネルの下側からの作業によって天井パネルに対して固定する固定方法であって、
天井パネル保持部によって上方から保持された天井パネルの下側から、スプリンクラー装置からの散水及びその取付けのための開口を天井パネルに形成する工程と、
一対のレールを前記開口を通して天井パネルの上側に導入して、前記開口の上を横切るように前記開口の一方の側から他方の側に延びるように天井パネル保持部に固定する工程と、
固定部材を前記開口を通して天井パネルの上側に導入して、前記一対のレールの間を橋渡しするように前記一対のレールに仮固定する工程と、
スプリンクラー装置の配管の少なくとも一部を、前記開口を通して天井パネルの上側に導入して、前記固定部材の上側から下側に延びるように前記固定部材に仮固定する工程と、
前記固定部材を前記開口の一方の側に前記一対のレールに沿って移動させ、前記固定部材よりも上側における前記配管の作業を、前記天井パネルの下側から行う工程と、
前記配管の作業後、前記固定部材を前記開口の上方に前記一対のレールにそって移動させ、前記一対のレールに固定する工程と、
前記固定部材を前記一対のレールに固定した後、仮固定されていた前記配管を前記固定部材に固定する工程と、を有することを特徴とする固定方法。
【請求項９】
前記配管は、継手を含み、前記継手を前記固定部材に仮固定する工程の後、前記固定部材を前記一対のレールに仮固定する工程を行うことを特徴とする、請求項８に記載の固定方法。
【請求項１０】
前記配管は、継手を含み、前記継手を前記固定部材に仮固定している間、前記継手は前記固定部材に対して回転可能であることを特徴とする、請求項８に記載の固定方法。
【請求項１１】
前記一対のレールは、前記天井パネル保持部にブラケットを介して固定され、前記ブラケットは、前記一対のレールが延びる方向と垂直な方向に前記一対のレールが移動することを規制する規制部を有することを特徴とする、請求項１に記載の固定装置。
【請求項１２】
前記一対のレールは、前記天井パネル保持部にブラケットを介して固定され、前記一対のレールの各々は、レバー式の締付け具によって前記ブラケットに押付けられるように固定されることを特徴とする、請求項１に記載の固定装置。
【発明の詳細な説明】
【技術分野】
【０００１】
本発明は、スプリンクラー装置を天井パネルに対して固定するための固定装置、固定構造及び固定方法に関し、更に詳細には、スプリンクラー装置を、天井パネルの下側からの作業によって天井パネルに対して固定することが可能な固定装置、固定構造及び固定方法に関する。
【背景技術】
【０００２】
火災を自動的に検出して天井等から散水するスプリンクラー装置が知られている。スプリンクラー装置は、水を噴射するスプリンクラーヘッドと、スプリンクラーヘッドに水を供給するために天井パネルの上側に通されるスプリンクラー配管とを有している。具体的には、スプリンクラー配管の大部分は、吊り具等によって吊られ、スプリンクラーヘッド及びその周囲のスプリンクラー配管は、天井パネルを上方から支持するために互いに平行に配置された野縁に固定装置を介して固定されている（例えば、特許文献１〜４参照）。
スプリンクラー装置を天井パネルに対して固定する作業は、一般には、天井パネルを野縁に取付けて天井を完成させる前に行われるので、作業スペース及び視野が十分に確保されている。
【０００３】
【特許文献１】実公昭第５５−２３５６０号公報（図１）
【特許文献２】特許第２７８０６１７号公報（図１）
【特許文献３】特許第３８９４８００号公報（図５）
【特許文献４】特開２００５−３１９２７８号公報（図１）
【発明の開示】
【発明が解決しようとする課題】
【０００４】
近年、天井を完成させた後に、スプリンクラー装置を追加する作業が増加している。これは、防災意識の高まり、及び、スプリンクラー装置が設置されていない既存施設への、法改正によるスプリンクラー装置の設置の義務付け等が理由である。
【０００５】
天井の完成後に、従来と同様のスプリンクラー装置を天井パネルに対して固定する作業を行う場合、作業スペース及び視野を確保するために、多数の天井パネルを外す必要があった。このため、固定作業は、かなり手間がかかっていた。
【０００６】
また、天井の完成後に、スプリンクラー装置を点検する場合、点検するための視野を確保するために、多数の天井パネルを外して、少なくとも作業者の上半身を天井の上側に入れる必要があった。更に、スプリンクラー装置の修理や交換が必要な場合、更に、天井パネルを外す必要があった。このため、点検、修理、交換作業は、かなり手間がかかっていた。
【０００７】
そこで、本発明の目的は、天井が完成した後におけるスプリンクラー装置の施工及びメンテナンスを容易にすることができる、スプリンクラー装置のための固定装置、固定構造、及び固定方法を提供することにある。
【課題を解決するための手段】
【０００８】
上記課題を解決するために、本発明による固定装置は、スプリンクラー装置を、天井パネルの下側からの作業によって天井パネルに対して固定することを可能にする固定装置であって、天井パネルを上方から保持する天井パネル保持部に固定される一対のレールを有し、この一対のレールは、スプリンクラー装置からの散水及びその取付けのために天井パネルに形成される開口の一方の側から他方の側に延び、更に、一対のレールの間を橋渡しするように一対のレールに固定される固定部材を有し、この固定部材の少なくとも一部分は、開口の上方に位置し、スプリンクラー装置は、固定部材の下側に配置されるスプリンクラーヘッドと、スプリンクラーヘッドに向かって固定部材の上側から下側に延び且つ固定部材に固定されるスプリンクラー配管とを有し、スプリンクラー配管は、固定部材よりも上側に位置する配管作業箇所を有し、配管作業箇所への天井パネルの下側からのアクセスを容易にするために、固定部材は、それが一対のレールに仮固定されている状態において、一方の端部及び他方の端部に向かう方向に一対のレールに沿って摺動可能であることを特徴としている。
【０００９】
このように構成された本発明による固定装置では、天井が完成した後、天井パネルに設けた開口を利用して、スプリンクラー装置を天井パネルに固定することができる。詳細には、開口の上方に位置し且つスプリンクラー装置が固定される固定部材は、レールに沿って摺動させることができる。固定部材を摺動させて、開口に対して移動させることにより、開口から固定部材の上側、即ち、裏側へのアクセス経路を確保することができる。それにより、固定部材の上側に位置する配管作業箇所における作業を、天井パネルの開口から行うことができる。その結果、天井パネルを必ずしも外す必要がなくなり、スプリンクラー装置の固定作業を、従来の固定装置よりも容易に行うことができる。また、同様に、メンテナンス作業も、従来の固定装置よりも容易に行うことができる。
【００１０】
本発明の固定装置において、好ましくは、一対のレール、固定部材及びスプリンクラー配管は、開口を通して天井パネルの下側から上側に導入することが可能である。
【００１１】
このように構成された本発明による固定装置では、天井パネルを外すことなしに、一対のレール、固定部材、スプリンクラー配管を天井パネルの上側、即ち、裏側に導入することができるので、天井パネルを外すことなしに、スプリンクラー装置を天井パネルに固定することが可能である。
【００１２】
本発明の固定装置において、好ましくは、スプリンクラー配管は、固定部材の上側に固定された配管接続部を有し、配管接続部は、一方の側に向けられた接続ポートと、他方の側に向けられた接続ポートとを有し、これらの接続ポートは、配管作業箇所を構成する。
【００１３】
このように構成された固定装置では、接続ポートが一方の側と他方の側の両側にある場合、開口をうまく利用して、固定部材の上側の配管作業箇所の作業を行うことができる。
詳細には、一方の側の接続ポートにおいて配管作業を行う場合には、固定部材を他方の側に摺動させる。それにより、開口は、一方の側の接続ポートのためのアクセス経路を構成する。次いで、他方の側の接続ポートにおいて配管作業を行う場合には、固定部材を一方の側に摺動させる。それにより、開口は、他方の側の接続ポートのためのアクセス経路を構成する。即ち、固定部材を摺動させることにより、開口をある程度小さくしながら、より広範囲なアクセス経路を効率的に確保することができる。
【００１４】
本発明の固定装置において、好ましくは、天井パネル保持部材は、野縁である。
【００１５】
このように構成された固定装置では、既存の野縁の寸法が分かっているので、野縁にあわせて、スプリンクラーヘッドの取付け高さを予め設定することができ、スプリンクラーヘッドの現場での上下調整が不要になる。
【００１６】
本発明の固定装置において、好ましくは、更に、開口を下方から覆うカバーと、カバーを天井パネルに向かって押付けるために、カバーと固定部材との間に配置された引張りばねと、を有する。
【００１７】
このように構成された固定装置では、スプリンクラーヘッドに対して大きく形成された開口を、見た目良く覆うことができる。逆にいえば、開口を大きくして、アクセス経路を広くすることにより、作業性を向上させることができる。
【００１８】
本発明の固定装置において、好ましくは、スプリンクラー配管は、天井パネルに沿って延びる樹脂製のホースを有する。
【００１９】
このように構成された固定装置では、ホースがスプリンクラー配管として固定部材に固定された状態でも、ホースが撓む又は曲がることにより、固定部材がレールに沿って摺動することを、金属管の場合よりも妨害しない。従って、固定部材の上側へのアクセス経路を容易に得ることができる。
【００２０】
また、本発明の固定装置において、好ましくは、一対のレールは、天井パネル保持部にブラケットを介して固定され、ブラケットは、一対のレールが延びる方向と垂直な方向に一対のレールが移動することを規制する規制部を有する。
【００２１】
また、本発明の固定装置において、好ましくは、一対のレールは、天井パネル保持部にブラケットを介して固定され、一対のレールの各々は、レバー式の締付け具によってブラケットに押付けられるように固定される。
【００２２】
また、上記目的を達成するために、スプリンクラー装置を、天井パネルの下側からの作業によって天井パネルに対して固定することが可能な本発明による固定構造は、天井パネルと、天井パネルを上方から保持する天井パネル保持部と、スプリンクラー装置からの散水のために天井パネルに形成される開口と、天井パネル保持部に固定され且つ開口の一方の側から他方の側に延びる一対のレールと、一対のレールの間を橋渡しするように一対のレールに固定される固定部材と、を有し、この固定部材の少なくとも一部分は、開口の上方に位置し、更に、スプリンクラー装置を有し、スプリンクラー装置は、固定部材の下側に配置されるスプリンクラーヘッドと、スプリンクラーヘッドに向かって固定部材の上側から下側に延び且つ固定部材に固定されるスプリンクラー配管とを有し、一対のレール、固定部材及びスプリンクラー配管は、開口を通して天井パネルの下側から上側に導入することが可能であり、スプリンクラー配管は、固定部材よりも上側に位置する配管作業箇所を有し、配管作業箇所への天井パネルの下側からのアクセスを容易にするために、固定部材は、それが一対のレールに仮固定されている状態において、一方の端部及び他方の端部に向かう方向に一対のレールに沿って摺動可能であることを特徴としている。
【００２３】
このように構成された本発明による固定構造では、上述した本発明による固定装置と同様の作用、効果を奏する。
【００２４】
また、上記目的を達成するために、スプリンクラー装置を、天井パネルの下側からの作業によって天井パネルに対して固定する本発明による固定方法は、天井パネル保持部によって上方から保持された天井パネルの下側から、スプリンクラー装置からの散水及びその取付けのための開口を天井パネルに形成する工程と、一対のレールを開口を通して天井パネルの上側に導入して、開口の一方の側から他方の側に延びるように天井パネル保持部に固定する工程と、固定部材を開口を通して天井パネルの上側に導入して、一対のレールの間を橋渡しするように一対のレールに仮固定する工程と、スプリンクラー装置の配管の少なくとも一部を、開口を通して天井パネルの上側に導入して、固定部材の上側から下側に延びるように固定部材に仮固定する工程と、固定部材を開口の一方の側に一対のレールに沿って移動させ、固定部材よりも上側における配管の作業を、天井パネルの下側から行う工程と、配管の作業後、固定部材を開口の上方に一対のレールにそって移動させ、一対のレールに固定する工程と、固定部材を一対のレールに固定した後、仮固定されていた配管を固定部材に固定する工程と、を有することを特徴としている。
【００２５】
このように構成された本発明による固定方法では、天井が完成した後、天井パネルに設けた開口を利用して、スプリンクラー装置を天井パネルに固定することができる。詳細には、開口の上方に位置し且つスプリンクラー装置が固定される固定部材は、レールに沿って摺動させることができる。固定部材を摺動させて、開口に対して移動させることにより、開口から固定部材の上側、即ち、裏側へのアクセス経路を確保することができる。それにより、固定部材の上側に位置する配管作業箇所における作業を、天井パネルの開口から行うことができる。その結果、天井パネルを必ずしも外す必要がなくなり、スプリンクラー装置の固定作業を、従来の固定装置よりも容易に行うことができる。また、同様に、メンテナンス作業も、従来の固定装置よりも容易に行うことができる。
【００２６】
本発明の固定方法において、好ましくは、配管は、継手を含み、継手を固定部材に仮固定する工程の後、固定部材を一対のレールに仮固定する工程を行う。
【００２７】
このように構成された固定方法によれば、継手を固定部材に仮固定してから、開口を通して、天井パネルの上側に導入するので、継手を固定部材に仮固定する工程を天井パネルの下側で行うことができる。
【００２８】
本発明の固定方法において、好ましくは、配管は、継手を含み、継手を固定部材に仮固定している間、継手は固定部材に対して回転可能である。
【００２９】
このように構成された固定方法によれば、継手に接続されるスプリンクラー配管の向きに応じて、継手が回転し、その後、最も適当な向きで継手を固定することができる。
【００３０】
本発明の固定方法において、好ましくは、一対のレールは、天井パネル保持部にブラケットを介して固定され、ブラケットは、一対のレールが延びる方向と垂直な方向に一対のレールが移動することを規制する規制部を有している。
【００３１】
このように構成された固定方法によれば、レールをブラケットに固定する位置の確認が容易になる。
【００３２】
本発明の固定方法において、好ましくは、一対のレールは、天井パネル保持部にブラケットを介して固定され、一対のレールの各々は、レバー式の締付け具によってブラケットに押付けられるように固定される。
【００３３】
このように構成された固定方法によれば、確実かつ容易にレールをブラケットに固定することができる。
【発明の効果】
【００３４】
以上説明したように、本発明によるスプリンクラー装置のための固定装置、固定構造、及び固定方法によれば、天井が完成した後におけるスプリンクラー装置の施工及びメンテナンスを容易にすることができる。
【発明を実施するための最良の形態】
【００３５】
図面を参照して、スプリンクラー装置のための本発明による固定装置及び固定構造の第１の実施形態を説明する。図１は、住宅用のスプリンクラー装置の配管の一例の概略図である。図２は、スプリンクラー装置のための本発明による固定構造を示す正面図である。図３は、図２に示す固定構造の平面図である。図４は、図２の線IV−IVにおける断面図であり、図５は、図２の線V−Vにおける断面図である。図６は、後述する固定具の拡大斜視図である。
【００３６】
図１に示すように、住宅用のスプリンクラー装置のための配管１００は、水道管１０１からの分岐管１０２に止水栓１０３を介して取付けられた分岐ヘッダー１０４と、分岐ヘッダー１０４から停滞水防止継手１０５を介してトイレのタンク１０６まで延びるスプリンクラー配管１０７と、停滞水防止継手１０５に取付けられたスプリンクラーヘッド１０８とを有している。スプリンクラー配管１０７は、主に、天井パネル１０９の上側、即ち、裏側を通っている。
【００３７】
止水栓１０３が開いているとき、トイレの使用のたびに、スプリンクラー配管１０７の中を水が流れ、スプリンクラー装置が火災を感知したとき、停滞水防止継手１０５を介してスプリンクラーヘッド１０８から散水される。
【００３８】
図２〜図５に示すように、本発明による固定構造の実施形態である、スプリンクラー装置のための固定構造１は、スプリンクラー装置２を、天井パネル４の下側からの作業によって天井パネル４に対して固定することが可能であり、スプリンクラー装置２と、天井パネル４と、天井パネル４を上方から保持する天井パネル保持部である野縁６と、スプリンクラー装置２からの散水及びその取付けのために天井パネル４に形成される開口８と、本発明による固定装置の実施形態である固定装置１０とを有している。
【００３９】
天井パネル４は、例えば、石膏ボード、コンパネ等で作られた厚さが約９〜２５ｍｍの板材である。天井パネル４は、野縁６に木ネジ、ビス等によって固定されている。
【００４０】
野縁６は、互いに平行に天井パネル４に沿って延びる複数の棒状部材である。野縁６は、一般的には、矩形断面の木材（図２〜図５参照）、又は、引掛け部（図８参照）を有するアルミ材で作られている。本実施形態では、矩形断面の木材で作られた野縁６を示している。
【００４１】
開口８の形状及び寸法は、後述するスプリンクラー装置２の固定作業及びメンテナンス作業を行うことができれば、任意である。例えば、開口８は、円形であり、その直径は、２５０〜３００ｍｍである。
【００４２】
固定装置１０は、野縁６に固定され且つ開口８の一方の側８ａから他方の側８ｂに延びる一対のレール１２、１４を有している。詳細には、一対のレール１２、１４は、互いに間隔をおいて平行に配置された矩形断面の２本の棒状部材である。レール１２、１４は、軽量化のために、中空であることが好ましい。レール１２、１４はまた、隣り合った一方の側８ａの野縁６から他方の側８ｂの野縁６まで延び、ブラケット１６を介して野縁６に固定されている。ブラケット１６は、野縁６に引掛けることが可能な上側水平部１６ａと、野縁６に側方から当接する垂直部１６ｂと、レール１２、１４の端部を乗せることができる上面１６ｄを有する下側水平部１６ｃとを有している。垂直部１６ｂは、ブラケット１６を野縁６に側方からねじで留めるための孔１６ｅを有している。レール１２は、下側水平部１６ｃに乗せたときにそれに当接する下面１２ａ、１４ａを有している。
【００４３】
レール１２、１４は、下側水平部１６ｃに固定具１８によって固定されている。図６に示すように、固定具１８は、ねじを回転させることによってレール１２、１４と下側水平部１６ｃを挟みつける種類のものであることが好ましい。本実施形態では、固定具１８は、レール１２、１４の両側において下側水平部１６ｃに下方から引掛けられる２つの引掛け部１８ａと、引掛け部１８ａから上方に延びてレール１２、１４を越えてからその上方に曲げられるＬ字形部１８ｂと、レール１２、１４を下側水平部１６ｃに下向きに押付けることができるようにＬ字形部１８ｂの曲げられた部分に螺合するねじ１８ｃとを有している。
【００４４】
図２〜図５に示すように、固定装置１０は、一対のレール１２、１４の間を橋渡しするように一対のレール１２、１４に固定される固定部材２０を有している。固定部材２０は、レール１２、１４の上に乗せられる下面２０ａを有し、レール１２、１４は、固定部材を乗せる上面１２ｂ、１４ｂを有している。固定部材２０は、例えば、アルミニウム又はステンレスの板材で作られる。
【００４５】
固定部材２０は、レール１２、１４に固定具２２によって固定されている。固定具２２は、レール１２、１４をブラケット１６の下側水平部１６ｃに固定するときに用いた固定具１８（図６参照）と同じものであるのがよい。この場合、固定具２２は、レール１２、１４の両側において固定部材２０に上方から引掛けられる引掛け部２２ａと、引掛け部２２ａから下方に延びてレール１２、１４を越えてからその下方に曲げられるＬ字形部２２ｂと、レール１２、１４を固定部材２０に上向きに押付けることができるようにＬ字形部２２ｂの曲げられた部分に螺合するネジ２２ｃとを有している。固定部材２０は、それが固定具２２によってレール１２、１４に固定されているとき、天井パネル４の開口８の上方に位置している。また、固定具２２のネジ２２ｃを完全に締付けない状態、即ち、固定部材２０が一対レール１２、１４に仮固定されている状態において、開口８から一方の端部８ａの方向に向かって又は他方の端部８ｂの方向に向かって一対のレール１２、１４に沿って摺動可能である（図７参照）。
【００４６】
固定部材２０は、スプリンクラー装置２を固定するための下面２０ａ、上面２０ｂ、及び貫通孔２４を有している。貫通孔２４は、固定部材２０の中央に設けられている。
【００４７】
スプリンクラー装置２は、固定部材２０の下側に配置されるスプリンクラーヘッド２６と、スプリンクラーヘッド２６に向かって固定部材２０の上側から下側に延び且つ固定部材２０に固定されるスプリンクラー配管２８とを有している。詳細には、スプリンクラー配管２８は、大部分が固定部材２０の上側に位置した状態で固定された配管接続部３０と、天井パネルに沿って延びる樹脂製のホース３２を有している。
【００４８】
配管接続部３０は、好ましくは、停滞水防止継手である。停滞水防止継手３０は、概略的には、Ｔ字形をなし、下方に延びる下方管状部分３０ａと、側方に延びる２つの側方管状部分３０ｂとを有している。下方管状部分３０ａは、固定部材２０の上面２０ｂと当接する段付き部３０ｃと、且つ固定部材２０の貫通孔２４の中を下方に延びる延長部３０ｄを有している。延長部３０ｄは、散水機構を備えたスプリンクラーヘッド２６がねじ込まれる雌ネジ部３０ｅと、停滞水防止継手３０を固定部材２０に締付け固定するためのナット３０ｆが螺合する雄ネジ部３０ｇとを有している。スプリンクラーヘッド２６は、延長部分３０ｄに当接して位置決めされることが好ましい。停滞水防止継手３０は、それがナット３０ｆによって固定部材２０に完全に締付け固定されていない状態、即ち、仮固定された状態で、貫通孔２４を中心に回転可能である。
【００４９】
２つの側方管状部分３０ｂは、停滞水防止継手３０が固定部材２０に固定されている状態において、概略的には、一方の側８ａと他方の側８ｂに向けられ、かくして、一方の側に向けられた接続ポート３４ａと、他方の側に向けられた接続ポート３４ｂとを有している。
【００５０】
樹脂製のホース３２は、さや管３６に入れられていることが好ましく、防災継手３８等を介して、接続ポート３４ａ、３４ｂに接続されている。また、停滞水防止継手３０及びそれとホース３２との接続部の周りに、保温カバー４０が設けられていることが好ましい。保温カバー４０は、２つ割りになっており、停滞水防止継手３０を挟むように覆うことが可能である。保温カバー４０は、例えば、発泡ポリスチレンで作られている。
【００５１】
スプリンクラー配管２８は、固定部材２０よりも上側に位置するいくつかの箇所に、配管作業を行う配管作業箇所４２を有している。本実施形態では、配管作業箇所４２は、停滞水防止継手３０を固定部材に取付ける箇所３０ｃ、樹脂製のホースを防災継手３８を介して接続ポート３４ａ、３４ｂに接続する箇所、保温カバー４０を取付ける箇所等である。
【００５２】
固定装置２０は、更に、天井パネル４の開口８を下方から覆う下カバー４４と、下カバー４４を天井パネル４に向かって押付けるために、下カバー４４と固定部材２０との間に配置された引張りばね４６とを有している。下カバー４４は、中央孔と、それを閉鎖するコンシールドを有していることが好ましい。
【００５３】
一対のレール１２、１４、固定部材２０及びスプリンクラー配管２８は、組み立てられた形態で又は分解された形態で、天井パネル４の開口８を通して天井パネル４の下側から上側に導入できることが好ましい。
【００５４】
次に、スプリンクラー装置を天井パネルに固定する方法を説明する。図７は、固定部材を一方の側にずらした図２と同様の図である。
【００５５】
野縁６によって上方から保持された天井パネル４の下側から、スプリンクラー装置２からの散水のための開口８を天井パネル４に形成する。詳細には、スプリンクラー装置２を設置する箇所を、隣接した野縁６の間に決定する。決定した設置箇所を中心とする開口を、天井パネル４の下側からあける。この開口は、スプリンクラー装置２が散水するための開口でもあり、後述するスプリンクラー装置２の固定作業に使用する開口でもある。
【００５６】
次に、さや管３６に通した樹脂製のホース３２を天井パネル４の上に配置する。樹脂製のホース３２は、開口８から導入されてもよいし、他の箇所から導入されてもよい。
【００５７】
次に、一対のレール１２、１４を開口８を通して天井パネル４の上側に導入して、開口の一方の側８ａから他方の側８ｂに延びるように野縁６に固定する。詳細には、ブラケット１６を開口８から天井パネル４の上側に導入し、その上側水平部１６ａを野縁６に引掛けると共に、開口８から取付け工具、例えば、電動ドリルを差入れ、ブラケット１６を、垂直部１６ｂの側方から野縁６にねじ止め固定する。
【００５８】
次いで、レール１２、１４を開口８から天井パネル４の上側に導入し、ブラケット１６下側水平部１６ｃに乗せる。また、固定具１８を開口８から天井パネルの上側に導入し、レール１２、１４を固定具１８によって仮固定する。レール１２、１４の間の距離は、固定部材２０が一対のレール１２、１４に沿って摺動できるように定められ、その距離が決まれば、レール１２、１４をブラケット１６に固定するのがよい。固定具１８のネジ１８ｃを、開口８から導入した手で固定具１８の上方で回すことになる。
【００５９】
次に、停滞水防止継手３０を開口８から天井パネル４の上側に導入し、樹脂性のホース３２と停滞水防止継手３０の接続ポート３４ａ、３４ｂとを防災継手３８を介して接続する。開口８の上方には、レール１２、１４が配置されているだけなので、かかる接続作業を容易に行うことができる。
【００６０】
次に、固定部材２０を開口８を通して天井パネル４の上側に導入して、一対のレール１２、１４の間を橋渡しするように一対のレール１２、１４に仮固定する。更に、停滞水防止継手３０を、固定部材２０の上側から下側に延びるように固定部材２０に仮固定する。
詳細には、固定部材２０を開口８を通して天井パネルの上側に導入し、停滞水防止継手３０の延長部３０ｄを、固定部材２０の貫通孔２４に通し、ナット３０ｆを延長部３０ｄの雄ネジ部３０ｇに螺合させ、固定部材２０を締付ける。それにより、停滞水防止継手３０が固定部材に固定される。本実施形態では、ナット３０ｆを完全に締付けない状態、即ち、停滞水継手３０を固定部材２０に仮固定する。それにより、停滞水防止継手３０は、固定部材２０に対して回転可能である。次いで、固定部材２０を２本のレール１２、１４の上に乗せる。また、固定具２２を、開口８を通して天井パネル４の上側に導入し、固定部材２０を固定具２２によってレール１２、１４に仮固定する。それにより、固定部材２０は、レール１２、１４に沿って摺動可能である。固定具２２のネジ２２ｃについて、それを開口８から導入した手で下方から回すことができる。変形例として、固定部材２０をレール１２、１４に仮固定してから、停滞水防止継手３０を固定部材２０に仮固定してもよい。
【００６１】
次に、固定部材２０を開口８の一方の側８ａに一対のレール１２、１４に沿って摺動させ、固定部材２０よりも上側におけるスプリンクラー配管２８の配管作業を、天井パネル４の下側から行う。具体的には、図７に示すように、固定部材２０を一対のレール１２、１４に沿って一方の側８ａにずらす。次いで、保温カバー４０を開口８を通して固定部材２０の上側に導入し、停滞水防止継手３０の周り及びそれとホース３２との接続部の周りに、保温カバー４０を取付ける。固定部材２０が開口８の中央に位置しているときは、保温カバー４０を固定部材２０の上側まで導入することはできないが、固定部材２０をずらすことにより、保温カバー４０が固定部材２０の上側まで通る経路Ａが形成される。また、それと同時に、作業者が手を入れるスペース及び視野が確保され、保温カバー４０を容易に停滞水防止継手３０の周りに取付けることができる。保温カバー４０を一方の側８ａと他方の側８ｂの両方で停滞水防止継手３０に固定する場合、いったん固定部材を一方の側８ａに摺動させて、他方の側８ｂを固定した後、次いで、固定部材を他方の側８ｂに摺動させて、一方の側８ａを固定するのがよい。
【００６２】
スプリンクラー配管２８の配管作業後、固定部材２０を開口８の上方に一対のレール１２、１４に沿って摺動させ、固定部材２０を一対のレール１２、１４に固定具２２によって固定する。更に、ナット３０ｆを締め付け、停滞水防止継手３０を固定部材２０に固定する。また、スプリンクラーヘッド２６を停滞水防止継手３０の雌ネジ部３０ｅにねじ込んで、固定する。
【００６３】
樹脂のホース３２は、ある程度の可撓性があるけれども、長さが決まっているため、停滞水防止継手３０の位置が変化すると、ホースに働く力が変化する。本実施形態では、ホースに働く力が変化する際、ホース３２に働く力が釣り合うように、停滞水防止継手３０が固定部材２０に対して回転する。従って、ホースに不釣合いな力が働いた状態で停滞水防止継手３０を固定部材２０に固定することが防止される。
【００６４】
次いで、引張りばね４６の一方の端部を固定部材２０に引掛け、他方の端部を引張り状態で下カバーに引掛ける。手を離すと、下カバー４４は、引張りばね４６によって天井パネル４に押付けられ、開口８が閉鎖される。
【００６５】
メンテナンスするときは、下カバー４４を外し、必要に応じて、固定具２２を緩め、固定部材２０をレール１２、１４に沿って摺動させる。それにより、天井パネル４の下側から固定部材２０の上側の配管作業箇所４２等に容易にアクセスすることが可能になる。天井パネル４を外さずにメンテナンスできるので、天井パネル４を外さなければならない場合よりも作業効率を向上させることができる。
【００６６】
また、上述した固定構造及び固定方法では、既存の野縁６を切断することなしに、スプリンクラー装置２を天井パネル４に固定することができる。逆に、既存の野縁６の寸法が分かっているため、ブラケット１６、レール１２、１４、固定部材２０を介してスプリンクラーヘッドの高さ方向位置を予め設定することができる。また、固定部材２０が、一対のレール１２、１４の上に乗せられて固定されるので、固定部材２０の上面２０ｂを水平方向に配置することが容易であり、その結果、スプリンクラーヘッド２６の取付け方向、即ち、散水方向が設計通りになるように、固定部材２０に固定することができる。
【００６７】
上記実施形態では、野縁６が矩形の木材である場合を説明したが、野縁６がアルミ材であってもよい。図８は、野縁６がアルミ材の場合の本発明による固定構造の部分的な正面図である。野縁６’は、開口６ａ’を有する上面６ｂ’と、開口６ａ’に設けられ且つ固定具１８を引掛けるための引掛け部６ｃ’を有している。この場合、ブラケット１６を省略して、レール１２、１４を野縁６’の上に直接乗せ、レール１２、１４を固定具１８によって野縁６に固定することができる。
【００６８】
次に、スプリンクラー装置のための本発明による固定装置及び固定構造の第２の実施形態を説明する。図９は、スプリンクラー装置のための本発明による固定構造の第２の実施形態を示す正面図である。図１０は、図９に示す固定構造の平面図である。図１１は、後述する締付け具を省略した図９の線XI−XIにおける断面図であり、図１２は、図９の線XII−XIIにおける断面図であり、図１３は、後述する締付け具を省略した図１２と同様の図である。図１４は、後述する締付け具の拡大斜視図である。
【００６９】
第２の実施形態である固定構造５０は、第１の実施形態の固定構造１のブラケット１６、固定具１８、固定部材２０、固定具２２及び下カバー４４をそれぞれ、ブラケット５４、締付け具５６、固定部材５８、ネジ６０及び下カバー６２に変更したこと以外、第１の実施形態と同様の構造を有している。従って、以下の説明において、第１の実施形態と共通する構成要素には、図９〜図１３において同じ参照符号を付し、その説明を省略する。また、上記変更部分が単なる置換えである場合の説明を一部省略する。
【００７０】
図９〜図１３に示すように、本発明による固定構造の第２の実施形態である、スプリンクラー装置のための固定構造５０は、スプリンクラー装置２を、天井パネル４の下側からの作業によって天井パネル４に対して固定することが可能であり、スプリンクラー装置２と、天井パネル４と、天井パネル４を上方から保持する天井パネル保持部である野縁６と、スプリンクラー装置２からの散水及びその取付けのために天井パネル４に形成される開口８と、本発明による固定装置の実施形態である固定装置５２とを有している。
【００７１】
固定装置５２は、野縁６に固定され且つ開口８の一方の側８ａから他方の側８ｂに延びる一対のレール１２、１４を有している。詳細には、一対のレール１２、１４は、互いに間隔をおいて平行に配置された矩形断面の２本の棒状部材である。レール１２、１４はまた、隣り合った一方の側８ａの野縁６から他方の側８ｂの野縁６まで延び、ブラケット５４を介して野縁６に固定されている。ブラケット５４は、野縁６に引掛けることが可能な上側水平部５４ａと、野縁６に側方から当接する垂直部５４ｂと、レール１２、１４の端部を乗せることができる上面５４ｄを有する下側水平部５４ｃとを有している。垂直部５４ｂは、ブラケット５４を野縁６に側方からねじで留めるための孔５４ｅを有している。
【００７２】
ブラケット５４は、一対のレール１２、１４が延びる方向と垂直な方向、即ち、野縁６が延びる方向（野縁方向）Ｂに一対のレール１２、１４が移動することを規制する規制部５５を有している。具体的には、ブラケット５４は、下側水平部５４ｃの先端から上方に延び且つ野縁方向Ｂに間隔をおいて配置された３つの上向き延長部５４ｆを有しており、上記規制部は、隣接した上向き延長部５４ｆの側縁５５によって構成されている（図１３参照）。本実施形態では、隣接した上向き延長部５４ｆの間の距離Ｄ１は、レール１２、１４の幅Ｗよりも僅かに大きく、かくして、隣接した上向き延長部５４ｆの間にレール１２、１４を配置したときに、レール１２、１４が、予め決められたピッチＰに位置決めされる。また、ブラケット５４の取付け位置が正確であれば、隣接した上向き延長部５４ｆの間にレール１２、１４を配置したときに、レール１２、１４が、野縁方向Ｂに対して垂直な方向に位置決めされる。変形例として、レール１２、１４を上向き延長部５４ｆの側縁５５に当接させることによって、レール１２、１４の野縁方向Ｂの移動を規制してもよい。この場合、中央の上向き延長部５４ｆだけが設けられてもよいし、両側の上向き延長部５４ｆだけが設けられてもよい。
【００７３】
ブラケット５４ｆは、更に、下側水平部５４ｃの先端から下方に延び且つ野縁方向Ｂに間隔をおいて配置された２つの下向き延長部５４ｇを有している。下向き延長部５４ｇは、好ましくは、レール１２、１４の下方に配置され、かくして、隣接した上向き延長部５４ｆの間に配置されている。ブラケット５４は、１枚の板材から形成されていることが好ましい。
【００７４】
レール１２、１４は、レバー式の締付け具５６によってブラケット５４に押付けられるように固定されている。レバー式の締付け具５６は、レバーを回動させることによって、レール１２、１４をブラケット５４の下側水平部５４ｃに押付けて固定する種類のものであることが好ましい。具体的には、図１４に示すように、締付け具５６は、回動軸線５６ｃを中心に互いに回動可能に取付けられた回動レバー５６ａと、引掛け部５６ｂとを有している。回動レバー５６ａは、回動軸線５６ｃの近くに設けられた脚部５６ｄを有し、それから一方の方向に延びている。
【００７５】
脚部５６ｄは、レール１２、１４の上面１２ｂ、１４ｂに当接箇所で当接し、その上を転動且つ摺動可能である。脚部５６ｄの輪郭は、回動レバー５６ａを上方からレール１２、１４に近づけるように回動させたときに、引掛け部５６ｂを引っ張る力が増大するように回動軸線５６ｃと当接箇所との間の距離が増大し、且つ、回動レバー５６を更に回動させたときに、かかる距離が減少するように定められている。本実施形態では、回動レバー５６ａが水平方向に向けられたときに、かかる距離は最大になる。
【００７６】
引掛け部５６ｂは、折り曲げられた棒材からなり、回動軸線５６ｃ一方の側から下方に延びる第１の側部５６ｅと、回動軸線５６ｃの他方の側から下方に延びる第２の側部５６ｆと、第１の側部の端部と第２の側部の端部とをほぼ横方向に連結するループ部５６ｇとを有している。第１の側部５６ｅ及び第２の側部５６ｆは、Ｊ字形に延び、即ち、回動軸線５６ｃから下方に延びた後、回動レバー５６ａが回動軸線５６ｃから延びる方向と反対方向に少し上方に延びている。回動レバー５６ａ、第１の側部５６ｅ、第２の側部５６ｆ及びループ部５６ｇによって囲まれる空間は、その中をレール１２、１４が通り抜けることができる形状及び大きさであることが好ましい。
【００７７】
図９〜図１１に示すように、固定装置５２は、一対のレール１２、１４の間を橋渡しするように一対のレール１２、１４に固定される固定部材５８を有している。固定部材５８は、レール１２、１４の上に乗せられる下面５８ａを有し、レール１２、１４は、固定部材を乗せる上面１２ｂ、１４ｂを有している。固定部材２０は、例えば、アルミニウム又はステンレスの板材で作られる。
【００７８】
また、固定部材５８は、一対のレール１２、１４を予め決められたピッチＰで受入れる受け部を有している。詳細には、固定部材は、レール１２、１４を越えてから下方に延びる第１の延長部５８ｃと、レール１２、１４を越える前に下方に延び、次いで、レール１２、１４の下方に延びる第２の延長部５８ｄとを有している。第１の延長部５８ｃと第２の延長部５８ｄとの間の野縁方向Ｂの距離Ｄ２は、レール１２、１４の幅Ｗよりも僅かに大きいことが好ましい。レール１２のための第１の延長部５８ｃ及び第２の延長部５８ｄと、レール１４のための第１の延長部５８ｃ及び第２の延長部５８ｄとは、一対のレール１２、１４を予め決められたピッチＰで受入れるように配置され、好ましくは、レール１２、１４が延びる方向に間隔をおいて２箇所ずつ設けられる。かくして、第１の延長部５８ｃ及び第２の延長部５８ｄは、上記受け部を構成する。第２の延長部５８ｄは、レール１２、１４を下方から押付けるためのネジ６０が螺合するねじ山付きの孔５８ｅを有している。
【００７９】
また、固定部材５８は、引張りばね４６の一方の端部を支持するために斜め上方に延びる第３の延長部５８ｆを有している。
【００８０】
固定部材５８は、ネジ６０によってレール１２、１４に押付けられることによって固定されている。ネジ６０は、ねじ山付きの孔５８ｅからはずれて落下することを防止するためのはずれ防止部（図示せず）を有していることが好ましい。また、固定部材５８は、それを一方の側８ａ又は他方の側８ｂに移動させたときに開口８と一致する部分が少なくなるようにするための切欠きを有していることが好ましい。
【００８１】
固定装置５２は、更に、天井パネル４の開口８を下方から覆う下カバー６２と、下カバー６２を天井パネル４に向かって押付けるために、下カバー６２と固定部材５８との間に配置された引張りばね４６とを有している。
【００８２】
一対のレール１２、１４、締付け具５６、固定部材５８、及びスプリンクラー配管２８は、組み立てられた形態で又は分解された形態で、天井パネル４の開口８を通して天井パネル４の下側から上側に導入できることが好ましい。
【００８３】
次に、スプリンクラー装置を天井パネルに固定する方法を説明する。第１の実施形態と共通する部分の説明は省略する。
【００８４】
一対のレール１２、１４を開口８を通して天井パネル４の上側に導入して、開口の一方の側８ａから他方の側８ｂに延びるように野縁６に固定する工程において、ブラケット５４を開口８を通して天井パネル４の上側に導入して、開口の一方の側８ａと他方の側８ｂの野縁６に固定する工程と、固定部材の第１の延長部５８ｃ及び第２の延長部５８ｄの間にレール１２、１４を通し、レールの両端部に締付け具５６を通して、これらを開口８から天井パネル４の上側に導入し、レール１２、１４の両端部をブラケット５４下側水平部５４ｃに乗せる工程を行う。
【００８５】
具体的には、ブラケット５４を開口８から天井パネル４の上側に導入し、その上側水平部５４ａを野縁６に引掛けると共に、開口８から取付け工具、例えば、電動ドリルを差入れ、ブラケット５４を、垂直部５４ｂの側方から野縁６にねじ止め固定する。
【００８６】
また、固定部材５８の第１の延長部５８ｃと第２の延長部５８ｄとの間にレール１２、１４を挿入し、レール１２、１４の両端部に、締付け具５６の引掛け部５６ｂを嵌めておく。そして、固定部材５８、レール１２、１４及び締付け具５６を一体にした状態で、開口８を通して天井パネル４の上側に導入し、レール１２、１４の両端部をブラケット５４下側水平部５４ｃに乗せる。このとき、レール１２、１４を隣接した上向き延長部５４ｆの側縁５５の間に配置することにより、レール１２、１４が所定の場所にピッチＰで位置決めされる。
【００８７】
次いで、締付け具５６のループ部５６ｇをブラケット５４の下向き延長部５４ｇに引掛け、回動レバー５６ａを上向きから下方に水平方向を越えるまで回動させる。回動レバーは、それがレール１２、１４に当接するまで回動することが可能である。この状態において、引掛け部５６ｂが上方に引っ張られると共に、レール１２、１４がブラケット５４に押付けられて固定される。また、回動レバー５６ａが水平方向を越えるまで回動されているので、回動レバー５６ａが上向きに戻ることが防止される。
【００８８】
スプリンクラー配管２８の配管作業後、固定部材５８を開口８の上方に一対のレール１２、１４に沿って摺動させ、固定部材５８を一対のレール１２、１４にネジ６０によって固定する。ネジ６０は、トルクリミッタ付きの電動ねじ回し等によって、一定のトルクで締付けられることが好ましい。
【００８９】
第２の実施形態の固定構造は、第１の実施形態の固定構造と同様の作用及び効果を有している。
【００９０】
また、第２の実施形態では、レール１２、１４を野縁６に固定するとき、ブラケット５４の規制部、即ち、側縁５５によって、レール１２、１４がブラケット５４に対して位置決めされると共に、レール１２、１４の野縁方向Ｂの移動が阻止される。それにより、レール１２、１４の野縁６への固定が一層容易になる。
【００９１】
また、締付け具５６の回動レバー５６ａが水平方向を越えて下方に回動していることを視認できれば、レール１２、１４が予め設計された力でブラケット５４に押付けられていることを容易に確認することができる。また、固定部材５８をレール１２、１４に固定するネジ６０が開口８を介して下方に向いているので、ネジ６０の締付けトルクをトルクリミッタ付きの電動ねじ回し等によって容易に調整することができる。その結果、固定構造５０の保守管理が一層容易になる。
【００９２】
上記第２の実施形態では、野縁６が矩形の木材である場合を説明したが、野縁６がアルミ材であってもよい。図１５は、野縁６がアルミ材の場合の本発明の第２の実施形態による固定構造の部分的な正面図である。また、図１６は、図１５の平面図であり、図１７は、締付け具を省略した図１５の右側面図である。野縁６’は、開口６ａ’を有する上面６ｂ’と、開口６ａ’に設けられ且つ締付け具５６を引掛けるための引掛け部６ｃ’を有している。
【００９３】
また、ブラケット５４の代わりに、ブラケット６４が用いられている。ブラケット６４は、野縁６に引掛けることが可能な第１の水平部６４ａと、野縁６に側方から当接する垂直部６４ｂと、レール１２、１４の端部を乗せることができる上面６４ｄを有する第２の水平部６４ｃとを有している。第１の水平部６４ａの先端から下方に延長部が延びていることが好ましい。垂直部６４ｂは、ブラケット６４を野縁６に側方からねじで留めるための孔６４ｅを有している。ブラケット６４は、更に、一対のレール１２、１４を位置決めするための規制部を有している。具体的には、垂直部６４ｂから上方に延び且つ野縁方向Ｂに間隔をおいて配置された４つの上向き延長部６４ｆを有しており、上記規制部は、隣接した上向き延長部６４ｆの側縁６５によって構成されている（図１７参照）。本実施形態では、隣接した上向き延長部６４ｆの間の距離Ｄ３は、レール１２、１４の幅Ｗよりも僅かに大きく、かくして、隣接した上向き延長部６４ｆの間にレール１２、１４を配置したときに、レール１２、１４が、予め決められたピッチＰに位置決めされる。また、ブラケット６４の取付け位置が正確であれば、隣接した上向き延長部６４ｆの間にレール１２、１４を配置したときに、レール１２、１４が、野縁方向Ｂに対して垂直な方向に位置決めされる。変形例として、レール１２、１４を上向き延長部６４ｆの側縁６５に当接させることによって、レール１２、１４を位置決めしてもよい。この場合、中央寄りの上向き延長部６４ｆだけが設けられてもよいし、両側の上向き延長部６４ｆだけが設けられてもよい。ブラケット５４は、１枚の板材から形成されていることが好ましい。
【００９４】
また、締付け具５６の引掛け部５６ｂは、野縁６’の引掛け部６ｃ’に引掛けられる。
【００９５】
以上、本発明の実施形態を説明したが、本発明は、以上の実施の形態に限定されることなく、特許請求の範囲に記載された発明の範囲内で種々の変更が可能であり、それらも本発明の範囲内に包含されるものであることはいうまでもない。
【００９６】
上記固定方法の実施形態では、停滞水防止継手３０をホース３２に取付けてから、停滞水防止継手３０を固定部材２０に仮固定したけれども、その逆に、停滞水防止継手３０を固定部材２０に仮固定してから、それらを開口８を通して、天井パネル４の上側に導入し、停滞水防止継手３０をホース３２に取付けてもよい。この場合、配管作業箇所４２が、接続ポート３４ａ、３４ｂの箇所になる。固定部材２０がレール１２、１４に沿って摺動するので、ホース３２の取付けを、開口８に手を導入することによって行うことができる。
【図面の簡単な説明】
【００９７】
【図１】住宅用のスプリンクラー装置の配管の一例の概略図である。
【図２】スプリンクラー装置のための本発明による固定構造を示す正面図である。
【図３】図２に示す固定構造の平面図である。
【図４】図２の線IV−IVにおける段め面図である。
【図５】図２の線V−Vにおける断面図である。
【図６】固定具の拡大斜視図である。
【図７】固定部材を一方の側にずらした図２と同様の図である。
【図８】本発明による固定構造の部分的な正面図である。
【図９】スプリンクラー装置のための本発明による固定構造の第２の実施形態を示す正面図である。
【図１０】図９に示す固定構造の平面図である。
【図１１】締付け具を省略した図９の線XI−XIにおける断面図である。
【図１２】図９の線XII−XIIにおける断面図である。
【図１３】締付け具を省略した図１２と同様の図である。
【図１４】締付け具の拡大斜視図である。
【図１５】本発明の第２の実施形態による固定構造の部分的な正面図である。
【図１６】図１５の平面図である。
【図１７】締付け具を省略した図１５の右側面図である。
【符号の説明】
【００９８】
１  固定構造
２  スプリンクラー装置
４  天井パネル
６、６’  野縁（天井パネル保持部）
８  開口
８ａ  一方の側
８ｂ  他方の側
１０  固定装置
１２、１４  一対のレール
２０  固定部材
２６  スプリンクラーヘッド
２８  スプリンクラー配管
３０  停滞水防止継手（配管接続部、継手）
３２  ホース
３４ａ、３４ｂ  接続ポート
４２  配管作業箇所
４４  下カバー
４６  引張りばね
５４、６４  ブラケット
５５、６５  側縁（規制部）
５６  締付け具
【要約】
【課題】天井が完成した後におけるスプリンクラー装置の施工及びメンテナンスを容易にすることができる、スプリンクラー装置のための固定装置、固定構造、及び固定方法を提供する
【解決手段】本発明による固定装置(10)は、野縁(6)に固定される一対のレール(12,14)と、一対のレール(12,14)に固定される固定部材(20)を有し、固定部材(20)にスプリンクラーヘッド(26)と、スプリンクラー配管(28)が固定される。固定部材(20)は、それが一対のレール(12,14)に仮固定されている状態において、開口(8)から遠ざかるように一対のレール(12,14)に沿って摺動可能である。それにより、天井パネル(4)の下側から、固定部材(20)よりも上側に位置する配管作業箇所(42)にアクセスすることを容易にする。
【選択図】図２【図１】
0004225367.tif 000002
【図２】
0004225367.tif 000003
【図３】
0004225367.tif 000004
【図４】
0004225367.tif 000005
【図５】
0004225367.tif 000006
【図６】
0004225367.tif 000007
【図７】
0004225367.tif 000008
【図８】
0004225367.tif 000009
【図９】
0004225367.tif 000010
【図１０】
0004225367.tif 000011
【図１１】
0004225367.tif 000012
【図１２】
0004225367.tif 000013
【図１３】
0004225367.tif 000014
【図１４】
0004225367.tif 000015
【図１５】
0004225367.tif 000016
【図１６】
0004225367.tif 000017
【図１７】
0004225367.tif 000018